(57)【要約】【課題】電子ミラー装置に明るい光が入った場合に、ハーフミラーの光の反射による映像表示部の視認性の低下を防止した電子ミラー装置を提供する。【解決手段】表示器５は、車室内のルームミラーの取付位置に設置されており、車両に搭載したカメラが撮像した映像を表示する。表示器５は、運転席側に開口部を有した本体ケース５Ａと本体ケース５Ａに装着された液晶ディスプレイ５０１と、液晶ディスプレイ５０１の運転席側に配置されたハーフミラー５０２、ハーフミラー５０２の運転席側に配置されたヘイズ可変フィルム５０３を備える。制御部は、液晶ディスプレイ５０１とヘイズ可変フィルム５０３のヘイズ値を制御する。【選択図】図５
2016020121.tif 000002
【特許請求の範囲】
【請求項１】
車両に搭載したカメラが撮影した映像を表示する車室内のルームミラーの取付位置に設置される表示器と、
前記表示器を制御する制御部とを備え、
前記表示器は、運転席側に開口部を有した本体ケース、前記本体ケースの開口部に装着された映像表示部、前記映像表示部の運転席側に配置されたハーフミラー、前記ハーフミラーの運転席側に配置されたヘイズ可変フィルムを備え、
前記制御部は、前記映像表示部と前記ヘイズ可変フィルムのヘイズ値を制御する電子ミラー装置。
【請求項２】
前記制御部は、前記映像表示部が映像表示中に前記ヘイズ可変フィルムのヘイズ値を映像非表示時に比べ大きくする請求項１に記載の電子ミラー装置。
【発明の詳細な説明】
【技術分野】
【０００１】
本発明は、車両に搭載したカメラが撮影し映像をドライバーに提示する電子ミラー装置に関する。
【背景技術】
【０００２】
従来の電子ミラー装置として、映像表示部の前面にハーフミラーを設けた電子ミラー装置が知られている。ドライバーは後席用ディスプレイ等により後方の視界が遮られハーフミラーによる後方監視が困難になった時に、車両に搭載したカメラが撮像した映像を映像表示部に表示し、ハーフミラーを介して映像表示部に表示される映像を見ることで後方監視を行うものが知られている（例えば特許文献１参照）。
【０００３】
しかしながら、従来の電子ミラー装置では、映像表示部が映像を表示中に電子ミラー装置に明るい光が入るとハーフミラーで光を反射してしまい映像表示部の視認性が低下する。
【先行技術文献】
【特許文献】
【０００４】
【特許文献１】特開平１１−２９１８１７号公報
【発明の概要】
【発明が解決しようとする課題】
【０００５】
本発明は、上記課題を解決するもので電子ミラー装置に明るい光が入った場合に、ハーフミラーの光の反射による映像表示部の視認性の低下を防止した電子ミラー装置を提供することを目的とする。
【課題を解決するための手段】
【０００６】
上記課題を解決するために本発明の電子ミラー装置は、車両に搭載したカメラが撮像した映像を表示する車室内のルームミラーの取付位置に設置される表示器と、前記表示器を制御する制御部とを備え、前記表示器は、運転席側に開口部を有した本体ケース、前記本体ケースの開口部に装着された映像表示部、前記映像表示部の運転席側に配置されたハーフミラー、前記ハーフミラーの運転席側に配置されたヘイズ可変フィルムを備え、前記制御部は、前記映像表示部と前記ヘイズ可変フィルムのヘイズ値を制御する構成となっている。
【０００７】
なお、ヘイズ値とはフィルムの透明性に関する指標で、フィルムの濁度（曇度）を表し、拡散透過光の全光線透過光に対する割合から求められる。ヘイズ値が大きいとは濁度が高いこと、透明度が低いことを意味する。
【発明の効果】
【０００８】
本発明によれば、制御部が映像表示部とヘイズ可変フィルムのヘイズ値を制御することにより、電子ミラー装置に明るい光が入った場合に、ハーフミラーの光の反射による映像表示部の視認性の低下を防止することができる。
【図面の簡単な説明】
【０００９】
【図１】本発明の実施の形態１における電子ミラー装置を搭載した車両の車内を示す正面図
【図２】同、車両の平面図
【図３】同、車両の断面図
【図４】本発明の実施の形態１における表示器の正面図
【図５】本発明の実施の形態１における表示器の断面図
【図６】本発明の実施の形態１における電子ミラー装置の制御ブロック図
【図７】本発明の実施の形態１における電子ミラー装置の動作の一例を示すフロー図
【発明を実施するための形態】
【００１０】
以下、本発明の一実施形態にかかる電子ミラー装置を車両に搭載した例を添付図面を用いて説明する。
（実施の形態１）
図１〜図３に示すように、車両１には車室内２の運転席３と助手席４との間の前方部分で、ルームミラーの取付位置に、電子ミラー装置を構成する表示器５が、取付部６に対して可動調整自在に取り付けられている。
【００１１】
表示器５に表示される画像５０は、図４に示すように映像表示部である液晶ディスプレイによる表示と、ミラーとしてのハーフミラーによる表示とを操作部５０４の操作により切替が可能となっている。
【００１２】
表示器５は、図５に示すように運転席側に開口部を有する本体ケース５Ａと、この本体ケース５Ａの開口部に液晶表示面が運転席側となるように装着された液晶ディスプレイ５０１と、液晶ディスプレイ５０１の運転席側に配置されたハーフミラー５０２と、ハーフミラー５０２の運転席側に配置されたヘイズ可変フィルム５０３と、液晶ディスプレイをＯＮ、ＯＦＦする操作部５０４とを備えた構成になっている。
【００１３】
ヘイズ可変フィルム５０３のヘイズ値は、ヘイズ可変フィルム５０３へ印加される電圧または電流の強さに反比例して変化する。例えば、電圧または電流がヘイズ可変フィルム５０３に印加されない場合にはヘイズ可変フィルム５０３のヘイズ値は最大でヘイズ可変フィルム５０３は不透明になり、印加される場合にはヘイズ値は最小で透明となる。なお、ヘイズ可変フィルム５０３に接続された電源は図面上省略している。
【００１４】
表示器５は、図６に示すように液晶ディスプレイ５０１、ヘイズ可変フィルム５０３のヘイズ値を制御する制御部５０５に接続されている。制御部５０５はカメラ７、操作部５０４に接続されている。
【００１５】
制御部５０５は、動作を制御するＣＰＵ、制御プログラムを格納するＲＯＭ、一時的に保持されるデータや制御データを格納するＲＡＭを備えている。
【００１６】
以上のように構成された本願発明の実施の形態１における電子ミラー装置５００について、実施の形態１における主要な動作の一例を説明する。
【００１７】
図７は、電子ミラー装置５００の実施の形態１に関する主要な動作の一例を示すフロー図である。
【００１８】
電子ミラー装置５００の制御部５０５は、処理が開始されると表示器５の表示が液晶ディスプレイ５０１による表示か否かを判定する（ステップＳ７０１）。この判定は、表示器５の表示が液晶ディスプレイによる表示になるまで繰り返す（ステップＳ７０１、ＮＯ）。
【００１９】
表示器５の表示が液晶ディスプレイである場合、または、表示器５の表示を制御部５０５が液晶ディスプレイに切り替えた場合（ステップＳ７０１、ＹＥＳ）、制御部５０５は
ヘイズ可変フィルム５０３に電流または電圧を印加しヘイズ値を大きくする（ステップＳ７０２）。
【００２０】
ヘイズ値を大きくすることで、電子ミラー装置５００に明るい光が入った場合、その光はハーフミラー５０２に到達する前後で拡散し、ハーフミラー５０２の光の反射による液晶ディスプレイの視認性の低下を防止することができる。
【００２１】
制御部５０５は、液晶ディスプレイをＯＦＦとしたか否かを判定する。即ち、表示器５の表示をミラーとしてのハーフミラーによる表示に切り替えたか否かを判定する（ステップＳ７０３）。表示器５の表示が液晶ディスプレイによる表示である間（ステップＳ７０３、ＮＯ）、制御部５０５はステップＳ７０２で設定したヘイズ値を維持する。
【００２２】
液晶ディスプレイをＯＦＦとした場合、即ち、表示器５の表示を液晶ディスプレイ５０１の表示からハーフミラー５０２による表示に切り替えた場合（ステップＳ７０３、ＹＥＳ）、制御部５０５は、ヘイズ値を小さくする（ステップＳ７０４）。
【００２３】
ヘイズ可変フィルム５０３のヘイズ値を小さくすることにより、電子ミラー装置５００に入る光は、ハーフミラー５０２に到達し、ハーフミラー５０２による反射によりミラーとしての画像が表示器５に表示される。
【００２４】
以上のように本発明の実施の形態１における電子ミラー装置５００は、制御部５０５が液晶ディスプレイ５０１とハーフミラー５０２の運転席側に設置されたヘイズ可変フィルムのヘイズ値とを制御することにより、電子ミラー装置５００に明るい光が入った場合に、ハーフミラーの光の反射による液晶ディスプレイ５０１の視認性の低下を防止することができる。
【００２５】
なお、液晶ディスプレイ５０１の輝度を、ハーフミラーと液晶ディスプレイとからなる従来の電子ミラー装置における液晶ディスプレイの輝度よりも予め高く設定しておくようにてもよい。また、ヘイズ値に応じて液晶ディスプレイ５０１の輝度を高くするように構成してもよい。
【００２６】
液晶ディスプレイ５０１の輝度を高くすることで、液晶ディスプレイの視認性の低下をより防止することが可能となる。
【００２７】
なお、上記実施の形態では、印加される電圧または電流の強さに反比例してヘイズ値が変わるヘイズ可変フィルム５０３を用いたが、印加される電圧または電流の強さに比例してヘイズ値が変わるヘイズ可変フィルムを用いて構成してもよい。
【産業上の利用可能性】
【００２８】
本発明の電子ミラーは、車載用の監視装置として有用である。
【符号の説明】
【００２９】
１  車両
２  車室内
５  表示器
６  取付部
５Ａ  本体ケース
５００  電子ミラー装置
５０１  液晶ディスプレイ
５０２  ハーフミラー
５０３  ヘイズ可変フィルム
５０４  操作部
５０５  制御部
【図１】
2016020121.tif 000003
【図２】
2016020121.tif 000004
【図３】
2016020121.tif 000005
【図４】
2016020121.tif 000006
【図５】
2016020121.tif 000007
【図６】
2016020121.tif 000008
【図７】
2016020121.tif 000009